(57)【要約】【課題】  この発明は五角形の形状の上部に合格祈願と書き記す、５を書くお守りに関するもので、その下部に五角、５を書く５５５！と書き、その下部に合格、合格ＧＯＧＯＧＯと書く。つまり五角と合格、５を書くと合格、５５５とＧＯＧＯＧＯの掛詞を用いたものである。その下部に５を書けば書く程５を書く率アップと書き、合格率アップの掛詞とする。その下部に５をたくさん書き込めるようにマス目と合格率という文字とパーセントを書く、これで五角、５を書く５５５！合格祈願とすることを提供する。【解決手段】  五角形のお守り（１）の表面に、表示欄（２）、表示欄（３）とマス目の表示欄（４）を設けたことを特徴とする、５を書くお守り。【選択図】図１
2009136649.tif 000002
【特許請求の範囲】
【請求項１】
五角形のお守り札（１）の表面上部に表示欄（２）を設け、その下に表示欄（３）とマス目の表示欄（４）を設けたことを特徴とする５を書くお守り。
【発明の詳細な説明】
【技術分野】
【０００１】  本発明は五角形の形状のお守りの上部に合格祈願と表示し、その下部に掛詞表示欄を設けて、５の文字を書くお守りに関するもので、たとえば、その下部に、五角、５を書く５５５！と書き、その下部に合格、合格ＧＯＧＯＧＯと書き、つまり、五角と合格、５を書くと合格、５５５とＧＯＧＯＧＯの掛詞を用いたものであって、その下部に５を書けば書く程５を書く率アップと書き、合格率アップの掛詞とし、その下部に５をたくさん書き込めるようにマス目と合格率という文字とパーセントを書くお守りに関するものである。
これで五角、５を書く、５５５！  合格祈願とし、これを５を書くお守りと呼ぶ。
【背景技術】
【０００２】  この発明は、以前には存在していない。
合格祈願グッズとしては、多々あるが、本発明のように掛詞で、「五角＝合格」、「５を書く＝合格」としたものはない。
【発明の開示】
【発明が解決しようとする課題】
【０００３】  現在、販売されている合格祈願グッズとしては、ただ単に絵馬にそのまま、「○○高校合格」とか、「○○大学合格」とかを書くのみであり、しゃれっ気というものが存在しなかった。
しゃれっ気を有するものとしては、チョコレート菓子で「キットカット」というものが存在し、受験生の間で「キット勝つ」と、いう少し苦しいしゃれっ気ではあるがブームになったことがある。
本発明は絵馬に５をたくさん書き込むことで受験生に合格という夢と希望を与えることができる。
【課題を解決するための手段】
【０００４】  五角形のお守り（１）の表面に、表示欄（２）、表示欄（３）とマス目の表示欄（４）を設ける。
以上のように構成された５を書くお守り。
【発明の効果】
【０００５】  現在、販売されている合格祈願グッズとしては、ただ単に絵馬に、そのまま「○○高校合格祈願」とか「○○大学合格祈願」とかを書くのみであり、絵馬の形状をしたものでは存在しない。
菓子類では「キットカット」というものが存在するが、これは元来メーカーが意図的に作ったものではなく「キットカット」を購入した学生達の間で、「きっと勝つ」という同音異義語的なもので縁起をかつぎヒットしたものがある。
その他にカキの種をもじって勝つの種としたものもあるが本発明は掛詞をうまく組み合わせて合格という言葉を二度使い、その上さらに５５５とＧＯＧＯＧＯを掛け合わせ、より強力な合格をアピール出来る合格祈願お守りである。
【発明を実施するための最良の形態】
【０００６】  本発明の実施の形態を説明する。
図１は、本発明のマス目に５を記入していない状態で、合格率を表わした、パーセンテージも記入していない状態を示した説明図である。
図２は、本発明のマス目に５を書き入れて、合格率が２０％、３０％、４０％、５０％に上昇した状態を示した説明図である。
図３は、本発明のマス目に５を書き入れて、合格率が３０％、４０％、５０％、６０％に上昇した状態を示した説明図である。
図４は、本発明のマス目に５を書き入れて、合格率が５０％、６０％、７０％、８０％に上昇した状態を示した説明図である。
図５は、本発明のマス目に５を書き入れて、合格率が６５％、７５％、８５％、９５％に上昇した状態を示した説明図である。
図６は、本発明のマス目に５を書き入れて、合格率が９５％、９６％、９７％、９８％に上昇した状態を示した説明図である。
図７は、本発明の五角形の形状の中央部に合格率１００％と書き入れて、その下部中央にプレミアムと書き入れ、その左側に大明神と記入し右側に合格と書きいれてある、プレミアムの下のマス目３箇所は空白になった状態を示した説明図である。
図８は、本発明の図７と同じ状態であるがプレミアムの下のマス目３箇所には５５５と数字を書き入れてある状態を示した説明図である。
本発明は五角形のお守り（１）の表面に、表示欄（２）、表示欄（３）とマス目の表示欄（４）を設ける。
以上のように構成された５を書くお守りである。
本発明は、五角形の形状の上部に合格祈願と記す、５を書くお守りである。
その下部に五角、５を書く５５５！と書き、その下部に合格、合格ＧＯＧＯＧＯと書き込むことにより掛詞になる。
つまり、五角と合格、５を書くと合格、５５５とＧＯＧＯＧＯの掛詞を用いたものである。
さらに、その下部に５を書けば書く程５を書く率アップと書き、合格率アップの掛詞とする。
その下部に、５をたくさん書き込めるようにマス目と合格率という文字を入れる。
又、合格率の異なったパーセンテージの数字も入れる。
これは商品化された場合、仮にチョコレート菓子のような商品に本発明をシールとして作成した場合、チョコレート菓子と本発明シールを一緒に包装して販売したと仮定した時、購入された方々、おもに受験に関係のある方は合格率のパーセンテージが高いものをほしがる。
それらを見込んで数種類のパーセンテージの違ったシールを作成する。
５を書けば書く程５を書く率つまり合格率がアップするように、５を書き入れる絵馬の種類をパーセンテージを替えて作成する、実施例として
【実施例】  合格率が２０％  ３０％  ４０％  ５０％どまりの絵馬である。
合格率が３０％  ４０％  ５０％  ６０％までの絵馬である。
合格率が５０％  ６０％  ７０％  ８０％までの絵馬である。
合格率が６５％  ７５％  ８５％  ９５％の絵馬である。
合格率が９５％  ９６％  ９７％  ９８％の絵馬である。
以上のように作成し、又、プレミアム絵馬として合格率１００％の絵馬も作成する。
以上のことにより、
購買率もアップされるものと確信できるのである。
【図面の簡単な説明】
【０００７】
【図１】  本発明の説明図である。
【図２】  本発明の説明図である。
【図３】  本発明の説明図である。
【図４】  本発明の説明図である。
【図５】  本発明の説明図である。
【図６】  本発明の説明図である。
【図７】  本発明の説明図である。
【図８】  本発明の説明図である。
【符号の説明】
１    五角形のお守り
２    表示欄
３    表示欄
４    マス目の表示欄
【図１】
2009136649.tif 000003
【図２】
2009136649.tif 000004
【図３】
2009136649.tif 000005
【図４】
2009136649.tif 000006
【図５】
2009136649.tif 000007
【図６】
2009136649.tif 000008
【図７】
2009136649.tif 000009
【図８】
2009136649.tif 000010